(57)【要約】【課題】ユーザボード単独での停電バックアップを可能にして、装置の信頼性を高めると同時に、フロントエンド部の小型化および軽量化を図り、環境面にも配慮した電力変換装置を得る。【解決手段】ユーザボード１に実装されるＤＣ／ＤＣモジュール４１ａ〜４１ｃに、フロントエンド部２２から直流入力電圧を供給する。リチウムイオン電池のバッテリ３２を搭載することでユーザボード１に分散して実装可能な一乃至複数のバッテリモジュール５２，５３を備え、停電時にフロントエンド部２２に代わり、リチウムイオン電池から直流バックアップ電圧をＤＣ／ＤＣモジュール４１ａ〜４１ｃに供給する。【選択図】　図１
2004064978.tif 000002
【特許請求の範囲】
【請求項１】
ユーザボードに実装されるＤＣ／ＤＣモジュールにフロントエンド部から直流電圧を供給する電力変換装置において、
リチウムイオン電池を搭載することで前記ユーザボードに分散して実装可能な一乃至複数のバッテリモジュールを備え、
停電時に前記フロントエンド部に代わり、前記リチウムイオン電池から直流バックアップ電圧を前記ＤＣ／ＤＣモジュールに供給する構成としたことを特徴とする電力変換装置。
【請求項２】
前記リチウムイオン電池を充電するための充電器を、前記バッテリモジュールに組み込んだことを特徴とする請求項１記載の電力変換装置。
【請求項３】
寸法が規格化された前記ＤＣ／ＤＣモジュールに合せて、前記バッテリモジュールを形成したことを特徴とする請求項１または２記載の電力変換装置。
【請求項４】
前記バッテリモジュールの寸法は、縦６１ｍｍおよび横１１６．８ｍｍ，縦６１ｍｍおよび横５７．９ｍｍ，縦３６．８ｍｍおよび横５７．９ｍｍ，縦３６．８ｍｍおよび横２９ｍｍのいずれかである請求項１〜３のいずれか一つに記載の電力変換装置。
【請求項５】
前記リチウムイオン電池を充電するための充電器を、前記バッテリモジュールとは別体であって、このバッテリモジュールと共に前記ユーザボードに実装可能な充電器モジュールに組み込んだことを特徴とする請求項１記載の電力変換装置。
【請求項６】
寸法が規格化された前記ＤＣ／ＤＣモジュールに合せて、前記バッテリモジュールおよび前記充電器モジュールを形成したことを特徴とする請求項５記載の電力変換装置。
【請求項７】
前記バッテリモジュールおよび前記充電器モジュールの寸法は、縦６１ｍｍおよび横１１６．８ｍｍ，縦６１ｍｍおよび横５７．９ｍｍ，縦３６．８ｍｍおよび横５７．９ｍｍ，縦３６．８ｍｍおよび横２９ｍｍのいずれかである請求項５または６記載の電力変換装置。
【発明の詳細な説明】
【０００１】
【発明の属する技術分野】
本発明は、停電バックアップ機能を有する直流給電の電力変換装置に関する。
【０００２】
【発明が解決しようとする課題】
直流電圧をユーザ負荷に供給する直流給電の電力変換装置においては、装置の分散化が進んでおり、それを実現するための使用の異なる各種ＤＣ／ＤＣモジュールが普及している。
【０００３】
図７は、基板であるユーザボード１上に実装される直流動作のユーザ負荷２ａ〜２ｅに対し、必要な直流電圧を給電する電力変換装置の従来例を示している。同図において、ここでの電力変換装置２０は、入力端子２１からの交流入力電圧を直流電圧に変換するフロントエンド部２２と、このフロントエンド部２２からの直流電圧を、各々のユーザ負荷２ａ〜２ｅに適した所望の直流電圧に変換するバックエンド部２３とにより構成される。
【０００４】
フロントエンド部２２は、入力端子２１からの交流入力電圧を整流する整流装置としてのレクチファイヤ３１がその代表的な構成として設けられているが、その他に、例えば停電などが原因で交流入力電圧が低下したときに、バックエンド部２３に直流電圧を供給する停電バックアップ用のバッテリ３２と、レクチファイヤ３１から出力される直流電圧を利用してバッテリ３２に充電電圧を供給するバッテリチャージャー３３と、バックエンド部２３からフロントエンド部２２への逆流を防止するダイオード３４とにより構成される。
【０００５】
その中で、バッテリチャージャー３３は、バッテリ３２の充電時にオンしてレクチファイヤ３１からの直流電圧をバッテリ３２に供給するスイッチ手段としてのＰＮＰ型トランジスタ３５と、このトランジスタ３３のエミッタ・コレクタ間に逆並列接続され、バッテリ３２の放電時に導通するダイオード３６とからなる充電器としての機能を備えている。
【０００６】
一方、バックエンド部２３を構成するＤＣ／ＤＣモジュール４１ａ〜４１ｅは、フロントエンド部２２から供給される例えばＤＣ４８ＶやＤＣ２４Ｖの直流入力電圧を、各ユーザ負荷２ａ〜２ｅに適した所望の直流出力電圧に変換するもので、各ユーザ負荷２ａ〜２ｅの動作電圧や容量などに応じたＤＣ／ＤＣモジュール４１ａ〜４１ｅが選択され、ユーザ負荷２ａ〜２ｅと共にユーザボード１に実装される。
【０００７】
ＤＣ／ＤＣモジュール４１ａ〜４１ｅは、ユーザボード１の実装面積が限定されているので、自ずと小型薄型高効率化が命題となっている。また使用するＤＣ／ＤＣモジュール４１ａ〜４１ｅの形状がメーカー毎に異なっていると、その度に再設計が必要となるので、それを防止するために、ＤＣ／ＤＣモジュール４１ａ〜４１ｅの形状は世界的に標準サイズが普及しており、例えば電力容量別にフルブリックサイズ（縦６１ミリメートル，横１１６．８ミリメートル），ハーフブリックサイズ（縦６１ミリメートル，横５７．９ミリメートル），クオータブリックサイズ（縦３６．８ミリメートル，横５７．９ミリメートル），さらにはクオータブリックサイズの半分のサイズであるハーフクオータブリックサイズ（縦３６．８ミリメートル，横２９ミリメートル）のいずれかに、外形の寸法が規格化されている。
【０００８】
ところが、バックアック機能に着目してみると、分散されたＤＣ／ＤＣモジュール４１ａ〜４１ｅとは相反して、依然としてフロントエンド部２２のレクチファイヤ３１の内部に取り込まれているか、若しくは外部に設けられている大型の鉛電池からなるバッテリ３２に集約化され、ユーザボード１の全体、或いは複数のユーザボード１に対して、同時にバックアップ電力を供給する集中給電方式となっている。そのため、バックエンド部２３のバックアップ機能は、共通するフロントエンド部２２のバッテリ３２に頼らざるを得ず、フロントエンド部２２で何らかの異常が発生すると、ユーザボード１全体の動作が停止して、信頼性を低下させていた。
【０００９】
また、バッテリ３２は鉛電池であるため、嵩張る上に重く、その取り扱いに苦慮していた。しかも、鉛フリーの半田が使用されるようになっている現状下において、鉛のバッテリ３２をユーザボード１に実装することは環境的にも問題視されている。
【００１０】
本発明は、上記の課題に着目して成されたものであって、その目的は、ユーザボード単独での停電バックアップを可能にして、装置の信頼性を高めると同時に、フロントエンド部の小型化および軽量化を図り、環境面にも配慮した電力変換装置を得ることにある。
【００１１】
【課題を解決するための手段】
本発明の請求項１の電力変換装置では、鉛電池に代わりリチウムイオン電池を採用することで、それまでフロントエンド部にあったバッテリユニットを、リチウムイオン電池搭載のバッテリモジュールとして、ＤＣ／ＤＣモジュールと同じユーザボードに分散して実装することが可能になる。したがって、共通するユーザボードにＤＣ／ＤＣモジュールとバッテリモジュールを組み込むことができ、ユーザボード単独での停電バックアップが可能になって、装置の信頼性を高めることができる。また、停電バックアップ機能を有するバッテリモジュールがユーザボード上に実装されることで、フロントエンド部の小型化および軽量化を図ることができる。しかも鉛電池を使用しないので、環境面を配慮した装置を実現化できる。
【００１２】
本発明の請求項２の電力変換装置では、リチウムイオン電池を充電する充電器としての機能を、バッテリモジュールに兼用して持たせることができる。
【００１３】
本発明の請求項３の電力変換装置では、ＤＣ／ＤＣモジュールとバッテリモジュールが、いずれも規格化された寸法に形成されているので、限られたユーザボードの実装スペースにＤＣ／ＤＣモジュールとバッテリモジュールを整然と配置することができる。
【００１４】
本発明の請求項４の電力変換装置では、バッテリモジュールの寸法が、全て現状の世界的な標準サイズに従うものになり、既存のＤＣ／ＤＣモジュールとの寸法的な統一を図ることができる。
【００１５】
本発明の請求項５の電力変換装置では、リチウムイオン電池を充電する充電器としての機能が、バッテリモジュールとは別の充電器モジュールに組み込まれる。そのため、個々のバッテリモジュールや充電器モジュールは、機能毎に分離独立してさらに小型・軽量になり、ユーザ側の取り扱いが容易になる。
【００１６】
本発明の請求項６の電力変換装置では、ＤＣ／ＤＣモジュール，バッテリモジュールおよび充電器モジュールが、いずれも規格化された寸法に形成されているので、限られたユーザボードの実装スペースにＤＣ／ＤＣモジュールとバッテリモジュールおよび充電器モジュールを整然と配置することができる。
【００１７】
本発明の請求項７の電力変換装置では、バッテリモジュールおよび充電器モジュールの寸法が、全て現状の世界的な標準サイズに従うものになり、既存のＤＣ／ＤＣモジュールとの寸法的な統一を図ることができる。
【００１８】
【発明の実施形態】
以下、本発明における好ましい実施態様について、添付図面を参照して詳細に説明する。なお、前記図４および図５と同一箇所には同一符号を付し、共通する部分の説明は重複するため省略する。
【００１９】
図１は、装置の全体構成を示すもので、ここでは前述のように、ユーザボード１上に動作対象となる直流動作のユーザ負荷２ａ〜２ｃが実装されている。勿論、このユーザ負荷２ａ〜２ｃは同一若しくは異なるものでもよく、その数についてもユーザボード１のスペースが許す限り特に限定されない。各ユーザ負荷２ａ〜２ｃに必要な電力を供給できるように、ここではＤＣ／ＤＣモジュール４１ａ〜４１ｃがそれぞれユーザボード１上に設けられている。各ＤＣ／ＤＣモジュール４１ａ〜４１ｃは、フロントエンド部２２からの直流電圧をそれぞれのユーザ負荷２ａ〜２ｃに適した所望の直流電圧に変換するバックエンド部２３を構成するが、その形状はいずれも、フルブリックサイズ，ハーフブリックサイズ，クオータブリックサイズ，ハーフクオータブリックサイズのいずれかに統一されている。
【００２０】
フロントエンド部２２は、ユーザボード１とは別の位置にあって、入力端子２１からの交流入力電圧を整流するレクチファイヤ３１を代表的な構成とし、他にバックエンド部２３からフロントエンド部２２への逆流を防止するダイオード３４を備えている。レクチファイヤ３１は、例えばＡＣ１００Ｖの交流入力電圧を、情報通信機器の分野で広く利用される例えばＤＣ４８ＶまたはＤＣ２４Ｖの直流電圧に変換して、これをユーザボード１側に供給する。
【００２１】
ユーザボード１には、直列接続された前記ユーザ負荷２ａ〜２ｃおよびＤＣ／ＤＣモジュール４１ａ〜４１ｃと共に、本実施例の特徴となる直列接続された充電器モジュール５１およびバッテリモジュール５２と、充電器を内蔵した別のバッテリモジュール５３が、それぞれレクチファイヤ３１の出力側に位置して実装される。とりわけ、バッテリモジュール５２，５３に搭載されるバックアップ源のバッテリ３２は、鉛電池ではなく小型で軽量なリチウムイオン電池を利用しており、これによりユーザボード１への実装が可能なモジュール構成を実現している。
【００２２】
充電器モジュール５１の構成は、従属するバッテリ３２の充電時にオンしてレクチファイヤ３１からの直流電圧をバッテリ３２に供給するスイッチ手段としてのＰＮＰ型トランジスタ３５と、このトランジスタ３３のエミッタ・コレクタ間に逆並列接続され、従属するバッテリ３２の放電時に導通して、ＤＣ／ＤＣモジュール４１ａ〜４１ｃに直流バックアップ電圧を供給できるようにするダイオード３６とからなる充電器としての機能を備えている。つまり、充電器モジュール５１そのものは、トランジスタ３５とダイオード３６だけで構成されるため、比較的モジュール化が容易である。また、充電器内蔵型のバッテリモジュール５３にも、トランジスタ３５とダイオード３６からなる同等の機能が内蔵されている。そのため、この充電器内蔵型のバッテリモジュール５３があれば、充電器を別に用意せずに、ユーザボード１にバッテリモジュール５３を実装するだけで、ユーザ負荷２ａ〜２ｃに対する停電バックアップが実現できる。
【００２３】
そして、図１の構成では、入力端子２１からの交流入力電圧が正常な電圧レベルである場合には、この交流入力電圧がレクチファイヤ３１により整流され、ダイオード３４を通して直流入力電圧がユーザボード１に実装された各ＤＣ／ＤＣモジュール４１ａ〜４１ｃに供給される。これにより各ＤＣ／ＤＣモジュール４１ａ〜４１ｃは、ユーザ負荷２ａ〜２ｃに必要な直流電圧に変換して、それを従属するＤＣ／ＤＣモジュール４１ａ〜４１ｃに供給する。またこの場合は、交流入力電圧ひいては直流入力電圧が正常であることを受けて、充電器モジュール５１や充電器内蔵型のバッテリモジュール５３の各トランジスタ３５がオンし、前記直流入力電圧がトランジスタ３５を通じてバッテリ３２に充電される。
【００２４】
一方、停電などで入力端子２１からの交流入力電圧が低下し、ユーザボード１に印加される直流入力電圧がバッテリ３２の充電電圧よりも低下すると、充電器モジュール５１や充電器内蔵型のバッテリモジュール５３の各トランジスタ３５がオフすると共に、ダイオード３６が導通してバッテリ３２の充電電圧が直流バックアップ電圧として各ＤＣ／ＤＣモジュール４１ａ〜４１ｃの入力側に供給される。これにより、バッテリ３２の容量が許す限り、各ＤＣ／ＤＣモジュール４１ａ〜４１ｃから従属するユーザ負荷２ａ〜２ｃに必要な直流電圧供給することができる。
【００２５】
なお、バッテリモジュール５２，５３の数は、ユーザボード１へのユーザ負荷２ａ〜２ｃの実装個数に応じて適宜増減させるのが好ましい。バッテリモジュール５２，５３を並列接続すれば、その分だけユーザ負荷２ａ〜２ｃに供給するバックアップ電力を増加させることができる。その際、バッテリモジュール５２，５３を余分に並列接続すれば、バッテリモジュール５２，５３の一つが何らかの異常を起こしても、正常に直流バックアップ電圧を供給できる冗長運転を実現することができる。またバッテリモジュール５２，５３単独では必要な直流バックアップ電圧が得られない場合には、別のバッテリ３２だけで構成されるバッテリモジュール５２を、既設のバッテリモジュール５２，５３に直列接続すればよい。こうした接続は、バッテリモジュール５２，５３が独立したパッケージとして提供されるため、ユーザボード１に実装するだけで極めて容易に実現できる。
【００２６】
充電器モジュール５１やバッテリモジュール５２，５３は例えばバッテリ３２の容量などに応じて様々な種類のものが用意されている。ユーザは必要に応じて一乃至複数個の充電器モジュール５１やバッテリモジュール５２，５３を選択し、その選択した充電器モジュール５１やバッテリモジュール５２，５３を、ユーザ負荷２ａ〜２ｃを取付けた同じユーザボード１に実装すれば、ユーザ負荷２ａ〜２ｃに対する停電バックアップが実現する。
【００２７】
ここで、充電器モジュール５１やバッテリモジュール５２，５３の外観構成（平面図，正面図および側面図）を図２〜図５に示す。図２は、フルブリックサイズの充電器モジュール５１やバッテリモジュール５２，５３で、縦Ｌは６１ｍｍ，横Ｗは１１６．８ｍｍ，高さ（厚み）Ｈは１２．７ｍｍで形成される。図３は、フルブリックサイズの充電器モジュール５１やバッテリモジュール５２，５３で、縦Ｌは６１ｍｍ，横Ｗは５７．９ｍｍ，高さＨは１２．７ｍｍで形成される。図４は、クオータブリックサイズの充電器モジュール５１やバッテリモジュール５２，５３で、縦Ｌは３６．８ｍｍ，横Ｗは５７．９ｍｍ，高さＨは８．５ｍｍで形成される。図５は、ハーフクオータブリックサイズの充電器モジュール５１やバッテリモジュール５２，５３で、縦Ｌは３６．８ｍｍ，横Ｗは２９ｍｍ，高さＨは８．５ｍｍで形成される。さらにＤＣ／ＤＣモジュール４１ａ〜４１ｃも、これらのサイズのいずれかに統一されるたものを選択するのが好ましい。そうすれば、充電器モジュール５１やバッテリモジュール５２，５３やＤＣ／ＤＣモジュール４１ａ〜４１ｃが決められたサイズに統一化され、ユーザボード１内の設計が容易になり、充電器モジュール５１やバッテリモジュール５２，５３やＤＣ／ＤＣモジュール４１ａ〜４１ｃを、ユーザボード１の限られたスペースに整然と配置することが可能になる。
【００２８】
また、充電器モジュール５１やバッテリモジュール５２，５３は、上記サイズのいずれかに拘らず、主要な機能部分を収容するケーシング６１と、ケーシング６１の下部に設けられたソケット６２とにより構成され、ユーザボード１上に設けられた端子ピンにソケット６２がワンタッチで挿脱できるようになっている。これにより、充電器モジュール５１やバッテリモジュール５２，５３の交換を容易にできる。
【００２９】
本実施例では特に、フロントエンド部２２ではなく、ユーザボード１上に停電バックアップ機能を持たせるために、リチウムイオン電池からなるバッテリ３２を搭載したバッテリモジュール５２，５３を、ＤＣ／ＤＣモジュール４１ａ〜４１ｃと同じ規格サイズに統一して、ユーザボード１に実装させている。これによりユーザボード１のある回路に異常が発生した場合でも、それによってフロントエンド部２２のＤＣ４８ＶやＤＣ２４Ｖラインに影響を与えることなく、ユーザボード単体でのバックアップが可能になる。すなわち、バッテリモジュール５２，５３もＤＣ／ＤＣモジュール４１ａ〜４１ｃと同様に、ユーザボード１上での分散化が可能になり、従来のようにフロントエンド部２２にあるバッテリ３２が異常を起こすと、全てのユーザ負荷２ａ〜２ｃに対するバックアップ機能が動作不能になる不具合を回避して、信頼性を高めることができる。
【００３０】
図６は、別の変形例を示す装置の全体構成である。図１では、フロントエンド部２２から供給される直流入力電圧をバックアップする構成を示したが、ここではＤＣ／ＤＣモジュール４１ａ〜４１ｃの出力電圧をバックアップする構成を示している。図１と異なる点は、ダイオード７１を通じてバッテリ３２の充電電圧をユーザ負荷２ａ〜２ｃに直接直流バックアップ電圧として供給するように構成していることで、それ以外は図１と共通している。
【００３１】
なお、図１や図６において、ユーザボード１に実装された全てのバッテリ３２が直流バッテリ電圧を供給できなくなる事態を考慮して、フロントエンド部３２に図７に示すようなバッテリ３２やバッテリチャージャー３３を設けてもよい。こうすれば、装置の信頼性はさらに向上する。
【００３２】
以上のように本実施例では、ユーザボード１に実装されるＤＣ／ＤＣモジュール４１ａ〜４１ｃにフロントエンド部２２から直流入力電圧を供給する電力変換装置において、リチウムイオン電池のバッテリ３２を搭載することでユーザボード１に分散して実装可能な一乃至複数のバッテリモジュール５２，５３を備え、停電時にフロントエンド部２２に代わり、リチウムイオン電池から直流バックアップ電圧をＤＣ／ＤＣモジュール４１ａ〜４１ｃに供給するように構成している。
【００３３】
すなわち、鉛電池に代わりリチウムイオン電池を採用することで、それまでフロントエンド部２２にあったバッテリユニット（バッテリチャージャー３３）を、リチウムイオン電池搭載のバッテリモジュール５２，５３として、ＤＣ／ＤＣモジュール４１ａ〜４１ｃと同じユーザボード１に分散して実装することが可能になる。したがって、共通するユーザボードにＤＣ／ＤＣモジュール４１ａ〜４１ｃとバッテリモジュール５２，５３を組み込むことができ、ユーザボード１単独での停電バックアップが可能になって、装置の信頼性を高めることができる。また、停電バックアップ機能を有するバッテリモジュール５２，５３がユーザボード１上に実装されることで、フロントエンド部２２の小型化および軽量化を図ることができる。しかも鉛電池を使用しないので、例えばユーザボード１に鉛フリーの半田を利用した場合に、環境面を配慮した装置を実現化することができる。
【００３４】
本実施例では、リチウムイオン電池のバッテリ３２を充電するための充電器（トランジスタ３５およびダイオード３６）を、特に充電器内蔵型のバッテリモジュール５３として組み込んでいる。こうすれば、リチウムイオン電池を充電する充電器としての機能を、バッテリモジュール５３に兼用して持たせることができる。
【００３５】
また本実施例では、リチウムイオン電池を充電するための例えばトランジスタ３５およびダイオード３６で構成される充電器を、バッテリモジュール５２とは別体であって、このバッテリモジュール５２と共にユーザボード１に実装可能な充電器モジュール５１に組み込んでいる。
【００３６】
この場合は、リチウムイオン電池のバッテリ３２を充電する充電器としての機能が、バッテリモジュール５２とは別の充電器モジュール５１に組み込まれる。そのため、個々のバッテリモジュール５２や充電器モジュール５１は、機能毎に分離独立してさらに小型・軽量になり、ユーザ側の取り扱いが容易になる。
【００３７】
また本実施例では、寸法が予め規格化されたＤＣ／ＤＣモジュール４１ａ〜４１ｃに合せて、前記バッテリモジュールおよび前記充電器モジュールを形成している。すなわち、ＤＣ／ＤＣモジュール４１ａ〜４１ｃ，バッテリモジュール５２，５３および充電器モジュール５１が、いずれも規格化された寸法に形成されているので、限られたユーザボード１の実装スペースにＤＣ／ＤＣモジュール４１ａ〜４１ｃとバッテリモジュール５２，５３および充電器モジュール５１を整然と配置することができる。
【００３８】
また本実施例におけるバッテリモジュール５２，５３および充電器モジュール５１の寸法は、縦６１ｍｍおよび横１１６．８ｍｍ，縦６１ｍｍおよび横５７．９ｍｍ，縦３６．８ｍｍおよび横５７．９ｍｍ，縦３６．８ｍｍおよび横２９ｍｍのいずれかに形成される。
【００３９】
こうすると、バッテリモジュール５２，５３および充電器モジュール５１の寸法が、フルブリックサイズ，ハーフブリックサイズ，クオータブリックサイズ，ハーフクオータブリックサイズからなる現状の世界的な標準サイズに全て従うものになり、既存のＤＣ／ＤＣモジュール４１ａ〜４１ｃとの寸法的な統一を図ることができる。
【００４０】
なお、本発明は上記実施例に限定されるものではなく、種々の変形が可能である。
【００４１】
【発明の効果】
本発明の請求項１の電力変換装置では、ユーザボード単独での停電バックアップを可能にして、装置の信頼性を高めると同時に、フロントエンド部の小型化および軽量化を図り、環境面にも配慮した電力変換装置を得ることができる。
【００４２】
本発明の請求項２の電力変換装置では、充電器の機能をバッテリモジュールに兼用して持たせることができる。
【００４３】
本発明の請求項３の電力変換装置では、限られたユーザボードの実装スペースにＤＣ／ＤＣモジュールとバッテリモジュールを整然と配置できる。
【００４４】
本発明の請求項４の電力変換装置では、バッテリモジュールに関し、既存のＤＣ／ＤＣモジュールとの寸法的な統一を図ることができる。
【００４５】
本発明の請求項５の電力変換装置では、個々のバッテリモジュールや充電器モジュールは、機能毎に分離独立してさらに小型・軽量になって、ユーザ側の取り扱いを容易にできる。
【００４６】
本発明の請求項６の電力変換装置では、限られたユーザボードの実装スペースにＤＣ／ＤＣモジュールとバッテリモジュールおよび充電器モジュールを整然と配置することができる。
【００４７】
本発明の請求項７の電力変換装置は、バッテリモジュールおよび充電器モジュールに関し、既存のＤＣ／ＤＣモジュールとの寸法的な統一を図ることができる。
【図面の簡単な説明】
【図１】本発明の一実施例を示す電力変換装置のブロック構成図である。
【図２】本発明の一実施例を示すフルブリックサイズの充電器モジュールやバッテリモジュールの平面，正面および側面図である。
【図３】本発明の一実施例を示すハーフブリックサイズの充電器モジュールやバッテリモジュールの平面，正面および側面図である。
【図４】本発明の一実施例を示すクオータブリックサイズの充電器モジュールやバッテリモジュールの平面，正面および側面図である。
【図５】本発明の一実施例を示すハーフクオータブリックサイズの充電器モジュールやバッテリモジュールの平面，正面および側面図である。
【図６】本発明の別の変形例を示す電力変換装置のブロック構成図である。
【図７】従来例を示す電力変換装置のブロック構成図である。
【符号の説明】
１　ユーザボード
２２　フロントエンド部
３２　バッテリ（リチウムイオン電池）
３５　トランジスタ（充電器）
３６　ダイオード（充電器）
４１ａ〜４１ｃ　ＤＣ／ＤＣモジュール
５１　充電器モジュール
５２，５３　バッテリモジュール
【図１】
2004064978.tif 000003
【図２】
2004064978.tif 000004
【図３】
2004064978.tif 000005
【図４】
2004064978.tif 000006
【図５】
2004064978.tif 000007
【図６】
2004064978.tif 000008
【図７】
2004064978.tif 000009